(57)【要約】  【課題】  巻取り機構等を用いずしかも車室スペースを犠牲にせず、コスト安価にして、窓の眩光を遮蔽することができるサンシェード機構を備えることができるアシストグリップを提供する。  【解決手段】  アシストグリップ本体にシート状のサンシェード体の端部を把持可能なクリップ手段を設けた。クリップ手段は、アシストグリップ５のグリップ部７にクリップ部９ｂを設け、クリップ部９ｂとグリップ部７との間にサンシェード体１２を把持するようにして構成している。【選択図】  図３
2006062459.tif 000002
【特許請求の範囲】
【請求項１】
アシストグリップのグリップ部にシート状のサンシェード体の端部を把持可能なクリップ手段を設けたことを特徴とするアシストグリップ。
【発明の詳細な説明】
【技術分野】
【０００１】
本発明は自動車等の乗員の身体を支持するアシストグリップ、特に自動車の前部助手席或いは後部座席の窓上側に取付けるアシストグリップに関する。
【背景技術】
【０００２】
従来から自動車の室内、窓の上側にはアシストグリップを取り付けており、このアシストグリップは、自動車の特に後部座席の乗員が走行中の自動車の揺れや乗降に際して身体を支持するものである。
【０００３】
一方、自動車の後部座席に着座した乗員に対し、窓から照射される眩光を遮蔽するために、後部座席の窓にサンシェードを設置したものが知られている。
【０００４】
このようなサンシェードとして、自動車の出入り口を開閉するドアに設置されたものや、前記アシストグリップを利用して設置したものが知られている。
【０００５】
前者には、例えば図１２及び図１３に示すものがあり、後者には、例えば図１４に示すものがある。
【０００６】
図１２及び図１３に示すものは、自動車のドア３０のドア本体部３１内に巻取り機構３２を設け、巻取り機構３２に一端側が巻き取られるシート状のサンシェード体３３の他端側をドア本体部３１の上面に設けた開口出入り部３４から引出し、当該他端部に設けられた引掛け具３５を窓３６の上側における車体天井部３７に設けたフック部材３８に引掛けて、窓３６を遮蔽するように構成していた（特許文献１）。
【特許文献１】特開2002-362149号公報（段落0012乃至0021）。
【０００７】
図１４に示すものは、窓４６の上側における車体天井部４７に設けた筒状のアシストグリップ４０内に巻取り機構(不図示)を設け、巻取り機構に一端側が巻き取られるシート状のサンシェード体４３の他端側をアシストグリップ４０に設けた開口出入り口４４から引出して、当該他端部に設けられた係止部材４５をドア本体部４１の上部に引掛けて、窓４６を遮蔽するように構成していた（特許文献２）。
【特許文献２】特開平11-129802号公報（段落0006乃至0009)
【発明の開示】
【発明が解決しようとする課題】
【０００８】
しかしながら、図１２及び図１３に示す従来技術においては、ドア本体部３１内にサンシェード体３３を巻き取るための巻取り機構３２を設けているために、巻取り機構３２によるコストアップを招くと共に、ドア本体部３１、特にその上部側構造が厚くなって、その分車室スペースを占有してしまうことになり、しかもドア本体部３１側にスペースがない場合にはサンシェード自体を設けることはできなくなってしまう。
【０００９】
また、図１４に示す従来技術においては、アシストグリップ４０内にサンシェード体４３を巻き取るための巻取り機構を設けているために、巻取り機構によるコストアップを招くと共に、その分アシストグリップ４０自体の太さが太くなって、乗員の手が握り難くなることや、例え握ったとしても乗員の身体を確実に支えるように握るためには相当の握力を必要とし、また、大きな手の乗員しか適応できない等の課題を残している。
【００１０】
そこで、本発明は、かかる点に鑑み、巻取り機構等を用いずしかも車室スペースを犠牲にせず、コスト安価にして、窓の眩光を遮蔽することができるサンシェード機構を備えることができるアシストグリップを提供することを目的としている。
【課題を解決するための手段】
【００１１】
上記目的を達成するために、本発明に係るアシストグリップは、グリップ部にシート状のサンシェード体の端部を把持可能なクリップ手段を設けたことを特徴とする。
【発明の効果】
【００１２】
上記のように構成する本発明において、クリップ手段に例えば手拭きタオルやハンカチーフ或いは風呂敷といったものをシート状のサンシェードとして利用し、その端部をクリップ手段に把持させることによって、窓を遮蔽して眩光を遮光することができ、従来の巻取り機構等を用いず、コストの安価なしかも車室スペースをほとんど占有しないサンシェード機構を備えたアシストグリップを提供することができる。
【発明を実施するための最良の形態】
【００１３】
以下、図を用いて、本発明を実施するための最良の実施の形態について説明する。
【００１４】
図１は本発明に係る第１の実施の形態を採用した自動車の後部車室内の一部を描画した斜視図、図２は図１におけるアシストグリップの拡大斜視図、図３は図２のＡ−Ａ断面図、図４は図２のＢ−Ｂ断面図、図５はサンシェード体を装着した状態における図２のＡ−Ａ断面図である。
【００１５】
図１乃至図４において、自動車例えば乗用車における後部側のドア１は、ドア本体部２にドアガラス３ａを昇降可能に装備することによって窓３を有して構成している。
【００１６】
窓３の上部における車体天井部４には、アシストグリップ５が装着されている。
【００１７】
アシストグリップ５は、平面視略コ字状を呈して、車体前後方向に長く延在するように構成している。
【００１８】
そして、アシストグリップ５は、その両端部が車体天井部４への取付け部６となり、両取付け部６の間に、グリップ部７を一体に形成して構成している。
【００１９】
取付け部６は、不図示のネジ等を用いて車体天井４の所定位置に取着され、グリップ部７が乗員の身体を支持するために乗員の手等を把持させるように構成している。
【００２０】
グリップ部７は、二分割されて、グリップ本体部８とクリップ体部９とで構成している。
【００２１】
グリップ本体部８は、その上部がＬ字状に抉られて、ヒンジ収容部８ａを形成し、ヒンジ収容部８ａにおける車体前後方向の対向両側壁部８ｂ間にヒンジピン８ｃを設けており、ヒンジピン８ｃにクリップ体部９のヒンジ部９ａを取り付けて、クリップ体部９をグリップ本体部８に対して回動可能に支持して、クリップ手段Ｘを構成している。
【００２２】
クリップ体部９は、ヒンジ部９ａに連続してクリップ部９ｂを一体に形成して構成しており、ヒンジ部９ａがヒンジ収容部８ａに収容され、クリップ部９ｂがグリップ本体部８の下側面８ｄに添設して、グリップ本体部８と共に、断面略矩形状に形成されている。
【００２３】
グリップ本体部８の下側面８ｄおよび下側面８ｄに対向するクリップ部９ｂの内側面９ｃには、それぞれ山形状突起部８ｅ、９ｅが形成されており、山形状突起部８ｅ、９ｅは互いに噛み合い可能に形成されている。
【００２４】
そして、グリップ本体部８は、ヒンジ収容部８ａに設けた例えば板状のばね片１０により、クリップ体部９をグリップ本体部８側に付勢して、クリップ体部９と共に一体になって乗員の手等が容易に把持できるグリップ部７を構成している。
【００２５】
上記のように構成する場合、窓３を太陽光等の眩光から遮蔽する必要がない場合には、図３に示すように、クリップ体部９は、内側面９ｃがばね片１０の付勢力によりグリップ本体部８の下側面８ｄに当接していて、グリップ本体部８側に付勢添設されている。
【００２６】
この状態より、もし窓３を太陽光などの眩光から遮蔽したい場合には、図４に示すように、クリップ体部９の略中央部に形成した凹状引掛け部９ｄに指１１等を引掛けて、クリップ体部９をばね片１０の付勢力に抗してヒンジピン８ｃを中心に矢印方向に回動させ（二点鎖線視状態）、グリップ本体部９との間に隙間Ｓ−１を形成し、隙間Ｓ−１内に例えば乗員が手持ちのタオル等のサンシェード体１２の端部を挿入し、この状態を保持したまま指１１等を離すと、ばね片１０の付勢力によりクリップ体部９がグリップ本体８側に復帰して、両山形状突起部８ｅ、９ｅによってサンシェード体１２の端部が押圧されて、サンシェード体１２をアシストグリップ５下に吊下げることになる（図５の状態）。
【００２７】
この結果、サンシェード体１２は窓３を車室側から覆うことになり、太陽光等の眩光を遮断して、車室内に入射させないことになる。
【００２８】
従って、上記実施の形態によれば、従来の巻取り機構等を用いず、コストの安価なしかも車室スペースをほとんど占有しないサンシェード機構を備えたアシストグリップ５を提供することができる。
【００２９】
そして、このようなサンシェード体１２の吊下げ使用時にも、比較的薄手のサンシェード体１２を使用すれば、グリップ本体部８に対してクリップ体部９が大きく張出すことがなく、従って、乗員の手１３などは、グリップ部７を容易に握ることができ、アシストグリップ５は、サンシェード体１２の不使用時と同じように、乗員の身体等を支持するという本来の機能を発揮できるものである。
【００３０】
図６乃至図１０は本発明の第２実施の形態を採用したアシストグリップを描画したもので、図１はアシストグリップの斜視図、図７は図６のＣ−Ｃ断面図、図８は図６のＤ−Ｄ断面図、図９は図６のＥ−Ｅ断面図、図１０はサンシェード体を装着した状態における図６のＣ−Ｃ断面図である。
【００３１】
図６乃至図９によれば、アシストグリップ５におけるグリップ部７の車室側縦壁面７ａに長手方向に延在する長溝７ｂを刻設して、長溝７ｂに針金状の線状体１４を埋設し、線状体１４の両端が長溝７ｂの両端部に設けた挿通孔７ｃを挿通してアシストグリップ５の取付け部６側に内蔵した取付け片部６ａに止着されて、サンシェード体１２のクリップ手段Ｘが構成されている。
【００３２】
取付け片６ａは、ばね性を持っており、一端部が取付け片部６ａの外側裏面部に取着することによって、他端部を遊端としている。
【００３３】
この結果、図８に示すように、アシストグリップ５の車室側縦壁部７ａの略中央部に凹設した窪み部７ｄに指１１等を入れて、線状体１４を車室側に引っ張ると、線状体１４が長溝７ｂ内からはみ出して、線状体１４が長溝７ｂより抜け出て、タオル等のサンシェード体１２の端部を線状体１４に折曲して絡めることができる。このような状態のまま、指１１を離せば、サンシェード体１２の端部の一部が長溝７ｂ内に埋没した状態で、サンシェード体１２をアシストグリップ５から垂下させることができ、サンシェード体１２が窓３の車室側を遮蔽することになる。
【００３４】
従って、上記実施の形態によれば、従来の巻取り機構等を用いず、コストの安価なしかも車室スペースをほとんど占有しないサンシェード機構を備えたアシストグリップを提供することができる。
【００３５】
図１１は本発明に係る第３の実施の形態を採用したアシストグリップをサンシェード体を取外した状態における斜視図である。
【００３６】
図１１によれば、アシストグリップ５におけるグリップ部７の車室側縦壁部７ａのほぼ両端部に下方に開口する凹部７ｅを形成し、凹部７ｅ内に起立するように、グリップ部７にフックピン１５を立設し、フックピン１５にタオル等のサンシェード体１２の端部を把持するハンガー体１６の吊下げ片１６ａを引掛けるようにして、サンシェード体１２のクリップ手段を構成している。
【００３７】
この結果、サンシェード体１２がアシストグリップ５から垂下することができることになって、サンシェード体１２が窓３の車室側を遮蔽することになる。
【００３８】
従って、上記実施の形態によれば、従来の巻取り機構等を用いず、コストの安価なしかも車室スペースをほとんど占有しないサンシェード機構を備えたアシストグリップを提供することができる。
【産業上の利用可能性】
【００３９】
以上説明したように、本発明は、クリップ手段に例えば手拭きタオルやハンカチーフ或いは風呂敷といったものをシート状のサンシェードとして利用し、その端部をクリップ手段に把持させることによって、窓を遮蔽して眩光を遮光することができ、従来の巻取り機構等を用いず、コストの安価なしかも車室スペースをほとんど占有しないサンシェード機構を備えたアシストグリップを提供することができるために、自動車の後部座席の窓上側に取付けるアシストグリップに好適である。
【図面の簡単な説明】
【００４０】
【図１】本発明に係る第１の実施の形態を採用した自動車の後部車室内の一部を描画した斜視図である。
【図２】図１におけるアシストグリップの拡大斜視図である。
【図３】図２のＡ−Ａ断面図である。
【図４】図２のＢ−Ｂ断面図である。
【図５】サンシェード体を装着した状態における図２のＡ−Ａ断面図である。
【図６】本発明に係る第２の実施の形態を採用したアシストグリップの斜視図である。
【図７】図６のＣ−Ｃ断面図である。
【図８】図６のＤ−Ｄ断面図である。
【図９】図６のＥ−Ｅ断面図である。
【図１０】サンシェード体を装着した状態における図６のＣ−Ｃ断面図である。
【図１１】本発明に係る第３の実施の形態を採用したアシストグリップをサンシェード体を取外した状態における斜視図である。
【図１２】従来技術を採用した自動車の後部車室内の一部を描画した斜視図である。
【図１３】図１２のＧ−Ｇ断面図である。
【図１４】もう一つの従来技術を採用した自動車の後部車室内の一部を描画した斜視図である。
【符号の説明】
【００４１】
５    アシストグリップ
７    グリップ部
７ｂ  長溝
８    グリップ本体部
８ａ  ヒンジ収容部
８ｃ  ヒンジピン
９    クリップ体部
９ａ  ヒンジ部
９ｂ  クリップ部
１４    線状体
１５    フックピン
１６    ハンガー体
１６ａ  吊り下げ片
Ｘ    クリップ手段
【図１】
2006062459.tif 000003
【図２】
2006062459.tif 000004
【図３】
2006062459.tif 000005
【図４】
2006062459.tif 000006
【図５】
2006062459.tif 000007
【図６】
2006062459.tif 000008
【図７】
2006062459.tif 000009
【図８】
2006062459.tif 000010
【図９】
2006062459.tif 000011
【図１０】
2006062459.tif 000012
【図１１】
2006062459.tif 000013
【図１２】
2006062459.tif 000014
【図１３】
2006062459.tif 000015
【図１４】
2006062459.tif 000016